(57)【要約】【課題】  アスペクト比の異なる動画と静止画を並行撮影可能にする。【解決手段】  撮像素子１０３の出力画像信号は、Ｓ／Ｈ回路１０４、プリプロセス回路１０５及び信号処理部１０６を介して静止画記録部１０８に供給される。システム制御回路１１１は、静止画撮影開始指示部１１３の指示に従い静止画記録部１０８に静止画撮影開始を指令し、動画撮影開始指示部１１４の指示に従い動画記録部１０９に動画撮影開始を指令する。静止画記録部１０８は入力画像信号を動画記録部１０９にスルーする。システム制御回路１１１は、動画アスペクト比切替え部１１２の動画アスペクト比に従い、信号処理部１０６、静止画記録部１０８及び動画記録部１０９に動画アスペクト比を設定する。静止画記録部１０８は、静止画アスペクト比切替え部１１７の撮影静止画アスペクト比で静止画を記録する。【選択図】  図１
2006148273.tif 000002
【特許請求の範囲】
【請求項１】
光学像を画像信号に変換する撮像手段（１０３〜１０６）と、
動画アスペクト比を設定する動画アスペクト比設定手段（１１２）と、
静止画アスペクト比を設定する静止画アスペクト比設定手段（１１７）と、
静止画撮影操作手段（１１３）と、
当該静止画撮影操作手段（１１３）の操作に従い、当該静止画アスペクト比設定手段により設定されるアスペクト比で、当該画像信号の内の所定の静止画を記録媒体（１１５）に記録する静止画記録手段（１０８）と、
動画撮影操作手段（１１４）と、
当該動画撮影操作手段（１１４）の操作に従い、当該動画アスペクト比設定手段により設定されるアスペクト比で、当該画像信号を動画として当該記録媒体（１１６）に記録する動画記録手段（１０９）
とを具備することを特徴とする撮像装置。
【請求項２】
当該静止画アスペクト比設定手段が、当該動画アスペクト比設定手段の動画アスペクト比の設定に従い、当該動画アスペクト比と同じ静止画アスペクト比を設定することを特徴とする請求項１に記載の撮像装置。
【請求項３】
更に、当該動画アスペクト比設定手段で設定される動画アスペクト比と当該静止画アスペクト比設定手段で設定される静止画アスペクト比が異なる場合に、当該静止画記録手段による静止画記録を禁止する手段を具備することを特徴とする請求項１に記載の撮像装置。
【請求項４】
更に、当該動画アスペクト比設定手段で設定される動画アスペクト比と当該静止画アスペクト比設定手段で設定される静止画アスペクト比が異なる場合に、ユーザにその旨を警告する警告手段を具備する請求項１に記載の撮像装置。
【請求項５】
当該警告手段は、撮影を継続するか、設定を見直して再度撮影を実施するかの選択を促す内容をユーザに通知することを特徴とする請求項４に記載の撮像装置。
【請求項６】
更に、動画アスペクト比と静止画アスペクト比が異なる場合の動作を予め指定する手段を具備することを特徴とする請求項２、３、４又は５に記載の撮像装置。
【請求項７】
更に、当該動画アスペクト比設定手段で設定される動画アスペクト比と当該静止画アスペクト比設定手段で設定される静止画アスペクト比が異なる場合に、撮影範囲を識別するための枠を表示する手段を具備することを特徴とする請求項１に記載の撮像装置。
【請求項８】
静止画撮影操作手段（１１３）が、１段目の操作で、合焦・露出制御等の撮影準備を指示する第１の操作信号を出力し、２段目の操作で、静止画記録を指示する第２の操作信号を出力する手段からなり、
動画アスペクト比と静止画アスペクト比が異なる場合に、当該第１の操作信号に応じて、静止画撮影範囲を示す撮影枠を撮影画像に重畳して表示することを特徴とする請求項１乃至７の何れか１項に記載の撮像装置。
【請求項９】
静止画撮影操作手段（１１３）が、１段目の操作で、合焦・露出制御等の撮影準備を指示する第１の操作信号を出力し、２段目の操作で、静止画記録を指示する第２の操作信号を出力する手段からなり、
動画アスペクト比と静止画アスペクト比が異なる場合に、当該第１の操作信号に応じて、撮影画像を静止画撮影範囲外の部分の輝度又は色差を変更して表示することを特徴とする請求項１乃至７の何れか１項に記載の撮像装置。
【請求項１０】
静止画撮影操作手段（１１３）が、１段目の操作で、合焦・露出制御等の撮影準備を指示する第１の操作信号を出力し、２段目の操作で、静止画記録を指示する第２の操作信号を出力する手段からなり、
動画アスペクト比と静止画アスペクト比が異なる場合に、当該第１の操作信号に応じて、撮影画像を当該静止画アスペクト比に基づき変倍して表示することを特徴とする請求項１乃至７の何れか１項に記載の撮像装置。
【発明の詳細な説明】
【技術分野】
【０００１】
本発明は撮像装置に関し、例えばカメラ一体型ＶＴＲ等の撮像装置に関する。
【背景技術】
【０００２】
近年、地上波テレビ放送のデジタル化の推進等により、高解像度ビデオ信号による１６：９のアスペクト比を持つ映像信号と従来の４：３のアスペクト比を持つ映像信号の両者を表示可能なテレビモニターが普及しつつある。これに伴い、高解像度ビデオ信号による撮影が可能なカメラ一体型ＶＴＲが普及しつつある。これらの高解像度ビデオ信号による撮影が可能なカメラ一体型ＶＴＲの中には、撮影者の指示に応じて従来の４：３のアスペクト比と高解像度ビデオ信号のアスペクト比１６：９を選択できるものがある。
【０００３】
また、動画撮影と静止画撮影を選択できるカメラ一体型ＶＴＲやデジタルカメラが商品化されている。これにより、複数の撮像装置を持ち歩く煩雑さを軽減できる。カメラ一体型ＶＴＲでは、動画を磁気テープに記録し、静止画をメモリカード等の固体メモリ素子に記録する。従って、例えば、動画撮影中であっても、静止画の撮影が可能である。
【０００４】
希望のアスペクト比による動画撮影が可能であり、動画撮影と同時に静止画撮影を実施できる撮像装置が、特許文献１、特にその図１５に記載されている。
【特許文献１】特開２００１−０３６８４９号公報
【発明の開示】
【発明が解決しようとする課題】
【０００５】
しかし、従来の撮像装置では、静止画のアスペクト比と動画のアスペクト比をそれぞれ独立に設定することができず、例えば、１６：９のアスペクト比で動画撮影中に４：３のアスペクト比の静止画撮影を行なうことができないという問題があった。
【０００６】
また、表示部に表示される撮影画像は、動画撮影のアスペクト比に基づいて画素間引き処理がなされた映像信号によるものである。静止画アスペクト比と動画アスペクト比が異なる場合、どの範囲を撮影対象として撮影を実施しているのか撮影者に分かりにくいという問題がある。
【０００７】
本発明は、これらの問題点に対して、アスペクト比の異なる動画・静止画を並行して撮影できる撮像装置を提示することを目的とする。
【課題を解決するための手段】
【０００８】
本発明に係る撮像装置は、光学像を画像信号に変換する撮像手段と、動画アスペクト比を設定する動画アスペクト比設定手段と、静止画アスペクト比を設定する静止画アスペクト比設定手段と、静止画撮影操作手段と、当該静止画撮影操作手段の操作に従い、当該静止画アスペクト比設定手段により設定されるアスペクト比で、当該画像信号の内の所定の静止画を記録媒体に記録する静止画記録手段と、動画撮影操作手段と、当該動画撮影操作手段の操作に従い、当該動画アスペクト比設定手段により設定されるアスペクト比で、当該画像信号を動画として当該記録媒体に記録する動画記録手段とを具備することを特徴とする。
【発明の効果】
【０００９】
本発明によれば、アスペクト比の異なる動画と静止画を並行して撮影できる。
【発明を実施するための最良の形態】
【００１０】
以下、図面を参照して、本発明の実施例を詳細に説明する。
【実施例１】
【００１１】
図１は、本発明の一実施例の概略構成ブロック図を示す。
【００１２】
１０１はレンズ、１０２は絞り、１０３はＣＣＤ撮像素子、１０４はサンプル／ホールド回路（Ｓ／Ｈ回路）、１０５はプリプロセス回路、１０６は信号処理部、１０７はメモリ、１０８は静止画記録部、１０９は動画記録部、１１０は表示部、１１１はマイクロコンピュータからなるシステム制御回路、１１２は動画アスペクト比切替え部、１１３は静止画撮影開始指示部、１１４は動画撮影開始指示部、１１５は静止画記録メディア、１１６は動画記録メディア、１１７は静止画アスペクト比切替え部である。上記１１２、１１３、１１４及び１１７は撮影者によって操作／設定可能な操作部である。なお、図では静止画記録メディア１１５と動画記録メディア１１６は別個の記録メディアとして表現したが、別個の記録メディアであっても、両者を包含する単一の記録メディアで構成しても構わない。また、静止画記録メディア１１５と動画記録メディア１１６は着脱式の記録メディアであっても、内蔵型の記録メディアであっても構わない。
【００１３】
被写体からの光は、レンズ１０１及び絞り１０２を通過してＣＣＤ撮像素子１０３の撮像面上に結像し、ＣＣＤ撮像素子１０３は、撮像面上の光学画像を光電変換して、画像信号を出力する。ＣＣＤ撮像素子１０３から出力される画像信号は、サンプルホールド（Ｓ／Ｈ）回路１０４でサンプルホールド処理された後、プリプロセス回路１０５に供給される。プリプロセス回路１０５は、Ｓ／Ｈ回路１０４の出力信号にＡＧＣ処理、ブラックバランス処理、ホワイトバランス処理及びガンマ補正処理等を施し、信号処理部１０６に供給する。
【００１４】
動画アスペクト比切替え部１１２は、撮影者の設定した動画アスペクト比をシステム制御回路１１１に伝達する。システム制御回路１１１は、切替え部１１２により撮影者が指定した動画アスペクト比に応じた画像処理パラメータを信号処理部１０６に設定する。信号処理部１０６は、設定された画像処理パラメータに応じた画像処理を映像信号に施し、動画アスペクト比に応じて画素間引きを行なった映像信号を出力する。この間、必要に応じて映像信号をメモリ１０７に保持する。
【００１５】
撮像装置の構成によっては、ここで動画アスペクト比に応じた画素間引きを実施せず、後段の動画記録部１０９で画素間引きを実施することもある。
【００１６】
静止画撮影開始指示部１１３は、半押しと全押しという２段階操作が可能なレリーズボタンからなる。撮影者による静止画撮影開始指示部１１３の操作状態は、システム制御回路１１１に伝達される。動画撮影開始指示部１１４は、撮影者の操作に応じて動画撮影開始指示をシステム制御回路１１１に伝達する。システム制御回路１１１は、静止画撮影開始指示部１１３からの静止画撮影開始指示に従い、静止画記録部１０８に静止画撮影・記録開始を指令し、動画撮影開始指示部１１４からの動画撮影開始指示に従い、動画記録部１０９に動画撮影・記録開始を指令する。
【００１７】
静止画記録部１０８は、システム制御回路１１１からの静止画撮影開始指示に従い、信号処理部１０６から出力された映像信号から静止画撮影に必要な映像信号を取得し、静止画記録メディア１１５に保存する。この間、静止画記録部１０８は、信号処理部１０６から出力された映像信号を動画記録部１０９にパススルーする。
【００１８】
動画記録部１０９は、システム制御回路１１１からの動画撮影開始指示に従い、静止画記録部１０８からの映像信号、即ち、信号処理部１０６から出力された映像信号を動画記録メディア１１６に保存する。信号処理部１０６で画素間引きを実施していない場合、動画記録部１０９は、必要に応じて映像信号の間引きを実施する。動画記録部１０９は、さらに、映像信号に撮像装置の内部状態や撮影時間等の情報（各種キャラクタ）を重畳した表示用映像信号を生成し、表示部１１０に出力する。表示装置１１０は、動画記録部１０９から出力された表示用画像信号を表示する。
【００１９】
システム制御回路１１１は、メニューや操作キーなどによって構成される動画アスペクト比切替え部１１２において設定される動画アスペクト比に従い、信号処理部１０６、静止画記録部１０８及び動画記録部１０９に動画アスペクト比を含む処理パラメータを設定する。信号処理部１０６は、設定された動画アスペクト比に基づいて画素間引き処理を実施し、出力する映像信号のアスペクト比を切替える。
【００２０】
信号処理部１０６から出力される映像信号のアスペクト比は１６：９等、ワイド側に固定しておき、動画記録部１０９において動画アスペクト比に応じた画素間引き処理を実施して所望のアスペクト比を持つ映像信号を生成する構成にしても良い。このとき、表示部１１０には動画アスペクト比に基づいたアスペクト比の映像信号が表示されており、撮影者が動画撮影開始指示部１１４を操作して発効される動画撮影開始指示に応じて、動画記録メディア１１６への映像信号の記録が開始される。
【００２１】
撮影者は所望のタイミングで静止画撮影開始指示部１１３を操作し、システム制御回路１１１に１段目の静止画撮影開始指示を指示する。これを受けて、システム制御回路１１１は、信号処理部１０６に合焦・露出制御等の撮影準備を指示する。撮影準備が完了すると、信号処理部１０６は動画記録部１０９に撮影準備完了を伝達し、動画記録部１０９は、撮影準備が完了した旨の情報（キャラクタ）を重畳した表示用映像信号を生成し、表示部１１０に出力する。撮影者は、この表示を確認したのち、静止画撮影開始指示部１１３を再度操作し、システム制御回路１１１に２段目の静止画撮影開始指示を伝達する。このとき、システム制御回路１１１は、メニューや操作キーなどによって構成される静止画アスペクト比切替え部１１７において設定されている静止画アスペクト比を取得し、静止画記録部１０８に伝達する。
【００２２】
静止画記録部１０８は、２段目の静止画撮影開始指示を受けて静止画撮影を開始する。このとき、静止画記録部１０８は、動画アスペクト比と静止画アスペクト比を比較し、両者が同じ場合は映像信号中の所定のタイミングの映像信号を１コマ分取得し、静止画記録メディア１１５に記録する。動画アスペクト比と静止画アスペクト比が異なる場合、静止画記録部１０８は、以下のように画素間引きを行なって所望のアスペクト比の静止画を取得する。即ち、動画アスペクト比が１６：９で、静止画アスペクト比が４：３の場合、静止画記録部１０８は、映像信号の左右両端を間引きしてアスペクト比が４：３の映像信号を生成し、これを静止画記録メディア１１５に記録する。動画アスペクト比が４：３で、静止画アスペクト比が１６：９の場合、静止画記録部１０８は、映像信号の上下両端を間引きしてアスペクト比が１６：９の映像信号を生成し、これを静止画記録メディア１１５に記録する。
【００２３】
信号処理部１０６から出力される映像信号のアスペクト比が１６：９等、ワイド側に固定され、動画記録部１０９が、動画アスペクト比に応じた画素間引きを行なって所望のアスペクト比を持つ映像信号を生成する構成の撮像装置では、静止画記録部１０８は、静止画アスペクト比が４：３に設定された場合に、映像信号の左右両端を間引きしてアスペクト比が４：３の映像信号を生成し、静止画記録メディア１１５に記録すれば良い。
【００２４】
このようにして、本実施例では、動画アスペクト比と静止画アスペクト比が独立に設定可能である。
【００２５】
動画アスペクト比と静止画アスペクト比が異なる場合、撮影者が意図しない撮影結果となることが想定されるので、静止画の撮影を禁止するように構成してもよい。このとき、表示部１１０に動画アスペクト比と静止画アスペクト比が異なる旨の警告文（キャラクタ）を表示することで、撮影者に注意を喚起すればよい。また、警告文と同時に又は代えて、そのまま撮影を続行するか、静止画アスペクト比の設定の見直しを行なうかの選択画面を表示部１１０に表示するように構成してもよい。
【００２６】
また、撮影者の負荷を軽減する為に、動画アスペクト比に連動して静止画アスペクト比を自動的に切り替えるように構成してもよい。例えば、動画アスペクト比が１６：９の場合には、これに連動して、静止画アスペクト比を１６：９に設定するように構成しても良い。勿論、静止画アスペクト比と動画アスペクト比が異なっている場合の撮像装置の動作を、操作メニューなどで撮影者が選択できるように構成することで、より撮影者の好みに応じた撮影環境を提供できる。
【００２７】
図２は、動画アスペクト比が１６：９に設定されている場合に、静止画撮影を実施した場合の表示部１１０の表示内容の一例を示す。
【００２８】
３００は表示部の表示可能領域であり、動画アスペクト比が１６：９である場合に表示部１１０においてプレビュー画像が表示される領域である。３０１は静止画アスペクト比が１６：９の場合の静止画撮影範囲である。３０２は静止画アスペクト比が４：３の場合の静止画撮影範囲である。３０３は静止画アスペクト比が４：３の場合の静止画撮影範囲外の領域である。３０４は静止画アスペクト比が４：３の場合の静止画撮影範囲を示す撮影枠（キャラクタ）である。
【００２９】
図３は、本実施例で動画アスペクト比が４：３に設定されている場合に、静止画撮影を実施した場合の表示部１１０の表示内容の一例を示す図である。
【００３０】
４００は表示部の表示可能領域である。４０１は動画アスペクト比が４：３の場合に動画撮影範囲外となりプレビュー画像が表示されない領域である。４０２は動画アスペクト比が４：３である場合にプレビュー画像が表示される領域である。４０３は、静止画アスペクト比が１６：９の場合に、動画撮影範囲外であるが静止画撮影範囲となる領域である。４０４は静止画アスペクト比が１６：９の場合に、動画撮影範囲であって静止画撮影範囲でもある領域である。４０５は、静止画アスペクト比が１６：９の場合に、動画撮影範囲と静止画撮影範囲との境界を示す撮影枠（キャラクタ）である。４０６は静止画アスペクト比が１６：９の場合に、映像信号の上下両端を画素間引きして静止画の映像信号を生成する場合に静止画撮影範囲外となる領域である。４０７は静止画アスペクト比が１６：９の場合に、映像信号の上下両端を画素間引きして静止画の映像信号を生成する場合に静止画撮影範囲となる領域である。４０８は静止画アスペクト比が１６：９の場合に、映像信号の上下両端を画素間引きして静止画の映像信号を生成する場合に、静止画撮影範囲を表示部の表示可能領域全域に拡大表示した場合に静止画撮影範囲となる領域である。
【００３１】
静止画撮影開始指示部１１３から１段目の静止画撮影開始指示がシステム制御回路１１１に伝達されると、システム制御回路１１１は、静止画アスペクト切替え部１１７から撮影者の設定した静止画アスペクト比を取得する。
【００３２】
動画アスペクト比が１６：９であり、静止画アスペクト比も１６：９の場合、システム制御回路１１１は、そのまま合焦・露出制御等の撮影準備を行い、撮影者が静止画撮影開始指示部１１３を操作して２段目の静止画撮影開始の指示が入力するのを待機する。
【００３３】
動画アスペクト比が１６：９であり、静止画アスペクト比が４：３の場合は、システム制御回路１１１は、動画記録部１０９に表示変更を指示する。動画記録部１０９は、表示変更指示を受けて、映像信号中の静止画撮影範囲外となる領域（３０３）に輝度・色差等を変更した映像信号を重畳し、表示部１１０に出力する。撮影者は、表示部１１０で静止画撮影範囲（３０２）を確認しながら構図を調整して、静止画撮影開始指示部１１３を操作し、２段目の静止画撮影開始をシステム制御回路１１１に指示すればよい。このとき、映像信号中の静止画撮影範囲外となる領域（３０３）に輝度・色差等を変更した映像信号を重畳するのではなく、映像信号中の動画撮影範囲となる領域（３０１）と静止画撮影範囲となる領域（３０２）の境界に撮影枠（３０４）を表示し、撮影者が静止画撮影範囲を確認できるように構成しても良い。
【００３４】
動画アスペクト比が４：３であり、静止画アスペクト比も４：３の場合、システム制御回路１１１は、そのまま合焦・露出制御等の撮影準備を行い、撮影者が静止画撮影開始指示部１１３を操作して２段目の静止画撮影開始の指示が入力するのを待機する。
【００３５】
動画アスペクト比が４：３であり、静止画アスペクト比が１６：９の場合、システム制御回路１１１は、動画記録部１０９に表示変更を指示する。動画記録部１０９は、撮像装置の構成に応じて、以下のように動作する。
【００３６】
動画記録部１０９が映像信号の画素間引きを行い、動画アスペクト比に応じた映像信号を生成するように構成されている場合、動画記録部１０９は、表示変更の指示を受けて動画撮影範囲外となる領域（４０１）に輝度・色差を変えた信号を重畳することを停止し、動画撮影範囲外であるが静止画撮影範囲となる領域（４０３）のプレビュー画像を出力する。動画記録部１０９はまた、動画撮影範囲と静止画撮影範囲の境界を示す撮影枠（４０５）を表示部１１０への出力信号に重畳して出力し、撮影者はこの撮影枠（４０５）を目安に静止画撮影範囲である領域（４０４）の構図を決定し、静止画撮影開始指示部１１３を操作して２段目の静止画撮影開始の指示をシステム制御回路１１１に入力する。
【００３７】
信号処理部１０６が映像信号の画素間引きを行い、動画アスペクト比に応じた映像信号を生成するように構成されている場合、動画記録部１０９は、表示変更の指示を受けて映像信号の上下両端の静止画撮影範囲外となる領域（４０６）に輝度・色差を変えた信号を重畳して、表示部１１０に出力する。撮影者は、１６：９の静止画撮影範囲（４０７）に表示されたプレビュー画像を目安に構図を決定し、静止画撮影開始指示部１１３を操作して２段目の静止画撮影開始の指示をシステム制御回路１１１に入力する。このとき、１６：９の静止画撮影範囲（４０７）を表示部の表示可能領域（４０８）に拡大表示（４０８）することで、実際に撮影される静止画像のイメージを撮影者に分かりやすく表示することもできる。
【００３８】
操作メニュー等から撮影者が静止画アスペクト比と動画アスペクト比が異なっている場合の表示部１１０に表示される映像信号を選択できるように構成することで、より撮影者の好みに応じた撮影環境を提供することもできる。
【００３９】
本実施例で、動画撮影に並行した静止画撮影を実施する際の一連の手順を説明する。図４は、その手順のフローチャートを示す。
【００４０】
撮影者が静止画撮影開始指示部１１３（フォトボタン）を半押し（１段階操作）すると、システム制御回路１１１は、１段目の撮影開始指示を取得し、動画アスペクト比切替え部１１２と静止画アスペクト切替え部１１７から撮影者が設定した動画アスペクト比と静止画アスペクト比を取得する（Ｓ１）。
【００４１】
システム制御回路１１１は、動画アスペクト比が１６：９であるか４：３であるかを判定し、静止画アスペクト比が１６：９であるか４：３であるかを判定する（Ｓ３，Ｓ４）。
【００４２】
動画アスペクト比と静止画アスペクト比が同じ場合、システム制御回路１１１は、表示内容変更の指示を出さずに（Ｓ５，Ｓ８）、ステップＳ９に移行する。
【００４３】
動画アスペクト比が１６：９で（Ｓ２）、静止画アスペクト比が４：３に設定されている場合（Ｓ３）、システム制御回路１１１は、画像の左右両端に輝度・色差信号を変えた信号を重畳するように、あるいは撮影枠３０４を表示するような表示内容変更を動画記録部１０９に指示する（Ｓ６）。
【００４４】
動画アスペクト比が４：３で（Ｓ２）、静止画アスペクト比が１６：９に設定されている場合（Ｓ４）、システム制御回路１１１は、撮像装置の構成に応じて下記のような表示内容変更を動画記録部１０９に指示する（Ｓ７）。信号処理部１０６において映像信号の画素間引きを行い、動画アスペクト比に応じた映像信号を生成するように構成されている場合、システム制御回路１１１は、映像信号の上下両端に輝度・色差を変更した信号を重畳するように、あるいは静止画撮影範囲を拡大して表示部１１０の表示可能領域全域に表示する（４０８）ような表示内容変更を動画記録部１０９に指示する。他方、動画記録部１０９において映像信号の画素間引きを行い、動画アスペクト比に応じた映像信号を生成するように構成されている場合、システム制御回路１１１は、映像信号の左右両端の領域（４０１）に輝度・色差を変更した信号を重畳しないように、かつ静止画撮影範囲と動画撮影範囲の境界を示す撮影枠（４０５）を表示するような表示内容変更を動画記録部１０９に指示する。
【００４５】
ステップＳ５〜Ｓ８の後、撮影者は表示部１１０の静止画撮影範囲（３０１、３０２、４０２、４０４、４０７、４０８）を目安に静止画の構図を決定し、静止画撮影開始指示部１１３（フォトボタン）を全押し（２段階操作）して２段目の静止画撮影開始の指示をシステム制御回路１１１に入力する（Ｓ９）。この指示を受けて、システム制御回路１１１は、静止画アスペクト比、動画アスペクト比及び露出等の撮影条件に基づいた画像処理パラメータを信号処理部１０６、静止画記録部１０８及び動画記録部１０９に設定し、静止画の撮影・記録を実行する（Ｓ１０）。
【００４６】
具体的には、静止画記録部１０８は、シャッタスピード等により決定されるタイミングに基づいて信号処理部１０６から出力された映像信号を取得し、静止画撮影アスペクト比に基づいた画素間引き等の処理を行なう。例えば、入力信号が１６：９のアスペクト比を持ち、静止画アスペクト比が４：３に設定されている場合、映像信号の左右両端を画素間引きする。このとき、映像信号は静止画の画素間引きに影響されること無くそのまま動画記録部１０９へと出力され、動画撮影中であれば動画記録メディア１１６に記録される。動画記録部１０９は、映像信号に表示内容変更指示に基づいて輝度・色差を変更した信号を重畳し、表示部１１０に出力する。
【００４７】
画素間引きが完了したら、静止画記録部１０８は、画素間引き処理を施した映像信号を静止画記録メディア１１５に記録する（Ｓ１１）。このとき、システム制御回路１１１は、映像信号の取得完了を検知し、動画記録部１０９への表示内容変更の指示を停止し、動画記録部１０９は、これを受けて表示部１１０の表示内容を静止画記録開始前の状態に復帰する。
【００４８】
このようにして、動作と静止画とが並行して撮影・記録可能であり、静止画アスペクト比と動画アスペクト比を独立に設定でき、さらに、撮影者の手を煩わせることなく、直感的に静止画撮影範囲を確認して撮影することができる撮像装置を提供することができる。
【図面の簡単な説明】
【００４９】
【図１】本発明の一実施例の概略構成ブロック図である。
【図２】本実施例で、動画撮影アスペクト比が１６：９に設定されている場合に、静止画撮影を行なった時の表示部の表示内容の一例を示す図である。
【図３】本実施例で、動画撮影アスペクト比が４：３に設定されている場合に、静止画撮影を行なった時の表示部の表示内容の一例を示す図である。
【図４】本実施例で静止画撮影を行なう際の制御手順のフローチャートである。
【符号の説明】
【００５０】
１０１：レンズ
１０２：絞り
１０３：ＣＣＤ撮像素子
１０４：サンプル／ホールド回路（Ｓ／Ｈ回路）
１０５：プリプロセス回路
１０６：信号処理部
１０７：メモリ
１０８：静止画記録部
１０９：動画記録部
１１０：表示部
１１１：システム制御回路
１１２：動画アスペクト比切替え部
１１３：静止画撮影開始指示部
１１４：動画撮影開始指示部
１１５：静止画記録メディア
１１６：動画記録メディア
１１７：静止画アスペクト比切替え部
【図１】
2006148273.tif 000003
【図２】
2006148273.tif 000004
【図３】
2006148273.tif 000005
【図４】
2006148273.tif 000006